(57)【要約】【課題】金属製屋根材をはじめとする各種金属部材に対し、その切断が容易であると共に、切断によって生じていた錆等の各種問題を解消できる切断機を提供する。【解決手段】金属製の屋根部材に設けられた立体曲げ部に対し、その曲げ部内側に嵌め込み可能な形状とされた型刃２０と、この型刃２０との間で相対的な近接離反動をする関係におかれて両刃間に剪断作用を生じさせる対応刃２１とを有した構成とした。【選択図】　　　図１
2004036282.tif 000002
【特許請求の範囲】
【請求項１】
金属製屋根部材に設けられた立体曲げ部に対しその曲げ部内側に嵌め込み可能な形状とされた型刃（２０）と、この型刃（２０）との間で相対的な近接離反動をする関係におかれて両刃間に剪断作用を生じさせる対応刃（２１）とを有していることを特徴とする金属部材用端部切断機。
【請求項２】
前記型刃（２０）は、金属製屋根材（１００）の前縁部で裏側へ向け突出する掛止縁（１０３）の曲げ部内形状に対応した形状とされていることを特徴とする請求項１記載の金属部材用端部切断機。
【請求項３】
固定された下刃（５）と、この下刃（５）の一端部に設けられた揺動軸部（８）を支点とする上下揺動により下刃（５）との間で金属製屋根材（１００）の切断が可能とされた上刃（６）とを有する押し切り型切断機の本機部分（２）に対し、請求項１又は請求項２記載の端部切断機（３）が付属されていることを特徴とする金属製屋根材用切断機。
【請求項４】
前記上刃（６）の上下揺動動作に対し、前記端部切断機（３）の対応刃（２１）が連動する構造になっていることを特徴とする請求項３記載の金属製屋根材用切断機。
【発明の詳細な説明】
【０００１】
【発明の属する技術分野】
本発明は、金属部材用端部切断機及び金属製屋根材用切断機に関するものである。
【０００２】
【従来の技術】
建物の屋根を葺く屋根材として、金属製（鋼板等）の瓦本体とこの瓦本体の裏面に重合状に設けられた所定肉厚のベース材（発泡スチロール等）とを有した金属製のものが知られている。
この種の金属製屋根材では、瓦本体の前縁部で裏側へ向け突出する掛止縁と瓦本体の後縁寄りで表側へ向け突出する係止突起とを互いに係止させつつ屋根流れ方向の下から上へ葺き上げ施工する（例えば、特許第２８３４３６６号公報等参照）。
【０００３】
ところで、この屋根材を屋根下地材上に幅方向（水平方向）へ並べながら張り付けてゆく過程では、例えばけらば部や隅棟部などでの屋根材の納まりをよくするために、この屋根材を所定長さに切断したり、隅棟部の角度に合わせて斜めに切断したりするということを行っている。
このときの切断には、丸鋸式やサンダー式のものを用いることが多かった。
【０００４】
【発明が解決しようとする課題】
上記したように、金属製屋根材の切断に丸鋸式やサンダー式のものを用いると、その周辺に切削粉や切削屑を大量に発生させることになり、また屋根材側の切り口にはバリを発生させ易いということがあった。
そのため、これら切削粉や切削屑を原因として、屋根材に対してスリ傷（歩行傷）を発生させたり、またこのようにして発生したスリ傷をはじめ、切り口に発生したバリ等でも、もらい錆びが発生したりするという不具合があった。
【０００５】
なお、このような問題は、金属製屋根材だけでなく、金属製の水切りや棟包、隅棟役物などの各種金属部材でも同様に起こっていた。
ところで、一般に、金属板を切断するための切断機として押し切り型の切断機（図示略）を使用することが考えられる。すなわち、この切断機は、下刃と、この下刃の一端部に設けられた揺動軸部を支点として上下揺動する上刃とを有したものである。
このような押し切り型切断機では切削粉や切削屑が発生し難いため、これをそのまま金属製屋根材の切断に利用することが考えられたが、屋根材には上記したように裏面側へ突出する掛止縁や表面側へ突出する係止突起が設けられている。
【０００６】
そのため、この押し切り型切断機で屋根材を切断すると、殊に突出度合いの大きな掛止縁は押し潰されて変形してしまうことになり、この屋根材を葺き上げるときに係合不良を起こすおそれがあり、また何より、見栄えの劣化等を招来してしまうということがあった。
本発明は、上記事情に鑑みてなされたものであって、金属製屋根材をはじめとする各種の金属部材に対し、その切断が容易であると共に、切断によって生じていた錆等の各種問題を解消できるようにした金属部材用端部切断機及び金属製屋根材用切断機を提供することを目的とする。
【０００７】
【課題を解決するための手段】
前記目的を達成するために、本発明は次の手段を講じた。
すなわち、本発明に係る金属部材用端部切断機３は、型刃２０と対応刃２１とを有したものである。
そして型刃２０は、金属製屋根部材（屋根材１００等）に設けられた立体曲げ部（屋根材１００で言えば掛止縁１０３に相当）に対し、その曲げ部内側に嵌め込み可能な形状に形成されている。
【０００８】
また対応刃２１は、この型刃２０との間で相対的な近接離反動をする関係におかれて、この動きで型刃２０との間に剪断作用を生じさせるようになっている。
このように型刃２０の形状として、金属製屋根部材における立体曲げ部の内側へ嵌るようになっているので、切断によっても、この立体曲げ部が押し潰されるといったことが防止される。
なお、ここにおいて金属製屋根部材とは、金属製屋根材１００だけでなく、金属製の水切りや棟包、隅棟役物などをも含めたものとする。
【０００９】
ただ、この中でも、金属製屋根材１００の前縁部で裏側へ向け突出する掛止縁１０３では、これが押し潰されたときの悪影響（見栄えの低下）を考え合わせると、本発明の端部切断機３の使用が期待される部位であると言うことができる。
そのため、型刃２０は、この掛止縁１０３における曲げ部内形状に対応した形状としておけばよい。
一方、本発明に係る金属製屋根材用切断機１は、固定された下刃５と、この下刃５の一端部に設けられた揺動軸部８を支点とする上下揺動により下刃５との間で金属製屋根材１００の切断が可能とされた上刃６とを有する押し切り型切断機であって、この押し切り型切断機の本機部分２に対し、本発明に係る端部切断機３が付属されているものである。
【００１０】
この場合、上刃６の上下揺動動作に対し、端部切断機３の対応刃２１が連動する構造にしておけば、操作の共通性が得られ、好適である。また、このことは、操作部分の兼用構造にすることを意味しており、結果として、切断機１全体としての構造の簡潔化及び小型化に繋がるものである。
従って、この切断機１を持ち運んだり収納したりするうえで好適となる。
【００１１】
【発明の実施の形態】
以下、本発明の実施の形態を、図面に基づき説明する。
図１乃至図３は、金属製屋根材１００（図４参照）を切断するうえで好適に使用可能な本発明に係る切断機１の第１実施形態を示している。
この切断機１は押し切り型切断機として構成される本機部分２を主体として、この本機部分２に端部切断機３が付属されたものとなっている。
また図４乃至図９は、この切断機１（本機部分２及び端部切断機３）を用いて屋根材１００を切断する様子を示している。
【００１２】
図１等から明らかなように、本機部分２は、下刃５と、この下刃５に対して上下揺動可能に設けられた上刃６とを有している。
下刃５は、細帯状の板素材をその長手方向を横にし且つ板幅方向に起立させた状態で、その板素材の上面片側に形成されたものとなっている。この下刃５には長手方向の一端部又は両端部に、両脇方へ延びるスタンド脚７が設けられており、このスタンド脚７によって切断作業時の設置姿勢を固定できるものとなっている。
【００１３】
上刃６は、下刃５の長手方向に沿って形成された細長い鉈状のもので、下刃５の長手方向一端部に設けられた揺動軸部８を支点として上下揺動が可能になっている。そして、この上下揺動により、下刃５との間に生じさせた摺接点を下刃５に沿って移動させ、これで剪断作用を生じて屋根材１００を切断可能にしているものである。
この上刃６は、揺動軸部８とは反対側の端部に設けられたハンドル９を握って上下揺動させる。
【００１４】
なお、下刃５及び上刃６は、屋根材１００の長手方向中途部を切断する際に、斜めにも切断できるように（図９参照）、これに応じた長さに形成されている。
このような本機部分２に対し、端部切断機３は、下刃５及び上刃６の根本側（揺動軸部８寄り）で、それらの延長方向へ突出する状態に設けられている。
図２及び図３等から明らかなように、この端部切断機３は、型刃２０と対応刃２１とを有したものである。
型刃２０は、例えば屋根材１００に設けられた立体曲げ部に対し、その曲げ部内側に嵌め込み可能な形状に形成されている。
【００１５】
なお、図４等に示すように、屋根材１００は、瓦本体１０１と、この瓦本体１０１の裏面に重合状に設けられた所定肉厚のベース材１０２とを有している。
瓦本体１０１は、鋼板をはじめ、アルミやステンレス等により形成された金属製であり、ベース材１０２は、例えば発泡スチロール等の軽量樹脂材により形成されている。
そして、瓦本体１０１には、その前縁部で裏側へ向け鉤型に突出する掛止縁１０３が設けられていると共に、後縁寄りで表側へ向けヒダ状に突出する係止突起１０４が設けられたものとなっている。
【００１６】
そのためこの屋根材１００は、瓦本体１０１の掛止縁１０３と係止突起１０４とを互いに係止させるようにしつつ、野地板等の屋根下地材（図示略）上に、屋根流れ方向の下から上へ葺き上げ施工されるものとなっている。
このような屋根材１００にあって、いま、瓦本体１０１の掛止縁１０３を上記した立体曲げ部とおく。
すなわち、この場合、立体曲げ部（掛止縁１０３）は鉤型に折れ曲がったものとなっているため、端部切断機３の型刃２０は、図７に示すように恰もクエッションマークを横に倒したような形状（後述する尾端部２８をも含めた全体形状）として形成され、その略中間部を串刺し状に貫通して設けられた揺動軸２２を支点とする揺動により、この立体曲げ部（掛止縁１０３）における鉤型の内側へ出入りできるものとなっているのである。
【００１７】
なお、図例の立体曲げ部（掛止縁１０３）にはその折り曲げ側の先端に補強用のリブ１０６が設けられたものとしてあるので、型刃２０にも、このリブ１０６を収容することのできる凹部２３が形成されている。
一方、このような型刃２０に対し、対応刃２１は、型刃２０の揺動軸２２を支持するブラケット２６において、型刃２０が下向きに揺動したときにこのブラケット２６とすれ違う部分で形成される構造となっている。
すなわち、型刃２０が対応刃２１とすれ違うときにこれら両刃間で剪断作用が生じて、屋根材１００の上記立体曲げ部（掛止縁１０３）を切断可能にしているものである。
【００１８】
なお、この対応刃２１は、図示したように型刃２０をその両側からサンドイッチ状に挟むように、２個一対で設けるものとしてもよいし、或いはこのうちのいずれか一方だけとしてもよい。
上記したように対応刃２１は揺動軸２２のブラケット２６と一体的に形成された構造となっており、そのためこのブラケット２６を介して本機部分２の下刃５に固定された状態となっている。これに対し、型刃２０は揺動軸２２を支点として揺動自在であり、これによって上記したような揺動（対応刃２１との近接離反動）を行うものである。
【００１９】
そして、この型刃２０には、揺動軸２２を超えて本機部分２側へ突出する尾端部２８が設けられていると共に、この尾端部２８には、揺動軸２２と平行して側方突出する連動ピン２９が設けられている。
このような型刃２０の連動ピン２９は、本機部分２における上刃６の尾端に設けられたカム溝３３に係合され、このカム溝３３内でその（連動ピン２８の）上下両側が挟み込まれるようになっている。
このようなことから、本機部分２において上刃６を上下揺動させるとき、この上下揺動動作に対して端部切断機３の型刃２０が連動して上下動するようになっている。すなわち、上刃６を上げれば型刃２０も上がり、上刃６を下げれば型刃２０も下がるのである。
【００２０】
次に、このような構成の切断機１を使用して、図４に示すように屋根材１００を斜めに切断する（切断予定線Ｋ参照）手順を説明する。
まず、図５に示すように、屋根材１００の裏面側において、切断予定線Ｋに沿ってベース材１０２を所定幅Ｗだけ取り除く。このときの幅寸法Ｗは、切断機１における本機部分２の下刃５の刃幅（肉厚）を超えるように対応させたものである。
次に、本機部分２の上刃６を上げることによって端部切断機３の型刃２０を上げ、図６に示すようにこの型刃２０と対応刃２１との間を口開きさせる。
【００２１】
次に、屋根材１００の立体曲げ部（掛止縁１０３）のうち、ベース材１０２が取り除かれた部分の幅方向一端側を、開いた型刃２０と対応刃２１との間へくわえさせ、そのうえで本機部分２の上刃６を下向きに揺動操作させる。
これにより、図７に示すように屋根材１００の立体曲げ部（掛止縁１０３）が端部切断機３によって切断され、図４及び図５に示したような切欠１０７が形成されることとなる。
なお、この切欠１０７の開口幅は、端部切断機３における型刃２１の刃幅（肉厚）に対応したものとなっている。
【００２２】
このとき、型刃２０の形状として、立体曲げ部（掛止縁１０３）の内側へ嵌るようになっているので、切断によってこの立体曲げ部が押し潰されるといったことはない。
このような切欠１０７を、屋根材１００の立体曲げ部（掛止縁１０３）のうち、ベース材１０２が取り除かれた部分の幅方向他側端にも形成させる（即ち、切欠１０７は互いに所定間隔で２個形成させることになる）。
必要に応じ、図８に示すように、端部切断機３にくわえさせる屋根材１００の姿勢を変更して、一方又は両方の切欠１０７を立体曲げ部（掛止縁１０３）の折り曲げに沿って延長加工させるようにしてもよい。
【００２３】
このようにして屋根材１００に２カ所の切欠１０７を形成させた後は、これら２カ所の切欠１０７間を瓦本体１０２の裏面側へ押し込むようにすると共に、図９に示すように再び上刃６を上げ、本機部分２側でこの上刃６と下刃５との間へ屋根材１００を挟み込み、そして下刃５に切断予定線Ｋ（図４参照）を位置合わせさせた状態で上刃６を一気に下げるようにする。
これによって屋根材１００を切断することができる。
なお、このような切断では、当初の目的として必要とされる（屋根施工に使用する方の）屋根材１００とは別に、破材が出ることになるが、この破材についても切り口が潰れ変形を起こしていないため、必要に応じてこの破材も使用可能であるという利点がある。
【００２４】
図１０は、本発明に係る切断機１の第２実施形態を示している。
この第２実施形態の切断機１では、本機部分２の上刃６を揺動自在に保持する揺動軸部８と、端部切断機３の型刃２０を揺動自在に保持する揺動軸２２とが兼用された構造となっている。
そして、本機部分２の上刃６には、揺動軸部８寄りに連動ピン３５が設けられており、また端部切断機３において型刃２０に設けられた尾端部２８が、この連動ピン３５の上部側に係合するようになっている。
【００２５】
なお、本機部分２の上刃６が下がり、上刃６が下刃５と噛み合っている状態で、端部切断機３では、型刃２０が対応刃２１との間で口開きした状態とされている。
このようなことから、端部切断機３では、本機部分２の上刃６を上方へ揺動させたときに型刃２０が対応刃２１へ向けて下向きに揺動し、剪断作用（切断動作）をすることになる。
すなわち、本機部分２と端部切断機３とは、それぞれ切断のための操作が逆となり、これによって互いの使い分けを明確化させる効果を得ている。
【００２６】
その他の構造や、作用効果等は上記した第１実施形態の場合と略同様であるので、ここでの詳説は省略する。
ところで、本発明は、上記各実施形態に限定されるものではなく、実施の形態に応じて適宜変更可能である。
例えば、端部切断機３は、本機部分２とは別操作で切断動作させるようにしてもよいし、本機部分２とは別構成（端部切断機３としての単独構成）とさせることも可能である。
【００２７】
また、この端部切断機３において、対応刃２１側を動作可能なものとして構成させることも可能である。
【００２８】
【発明の効果】
以上の説明から明らかなように、本発明に係る金属部材用端部切断機及び金属製屋根材用切断機では、金属製屋根材をはじめとする各種の金属部材に対し、その切断が容易であると共に、切断によって生じていた錆等の各種問題を解消できる。
【図面の簡単な説明】
【図１】本発明に係る金属製屋根材用切断機の第１実施形態を示した斜視図である。
【図２】図１の一部（本発明に係る端部切断機）を拡大して示した側面図である。
【図３】図２に対応する平面図である。
【図４】金属製屋根材の一例を示した斜視図である。
【図５】図４に示した屋根材の背面（裏面）図である。
【図６】端部切断機の使用状況を示した側面図である。
【図７】図６に続く使用状況を示した側面図である。
【図８】図７に続く使用状況を示した側面図である。
【図９】図８に示した手順の次の段階として金属製屋根材用切断機を使用する状況を示した斜視図である。
【図１０】本発明に係る金属製屋根材用切断機の第２実施形態についてその端部切断機の部分を示した側面図である。
【符号の説明】
１　　切断機
３　　端部切断機
５　　下刃
６　　上刃
８　　揺動軸部
２０　　型刃
２１　　対応刃
１００　　屋根材
１０３　　掛止縁
【図１】
2004036282.tif 000003
【図２】
2004036282.tif 000004
【図３】
2004036282.tif 000005
【図４】
2004036282.tif 000006
【図５】
2004036282.tif 000007
【図６】
2004036282.tif 000008
【図７】
2004036282.tif 000009
【図８】
2004036282.tif 000010
【図９】
2004036282.tif 000011
【図１０】
2004036282.tif 000012